(57)【要約】【課題】  タイムライン編集に際し、ユーザーが時間的な範囲の指定を簡単かつ正確に行うことができる映像音声編集システムを提供する。【解決手段】  映像音声を時間軸に沿ったタイムライン２１として表示し、タイムライン２１上の任意の時間的な範囲を指定し、その範囲内で再生ヘッド２２を移動させ、プレビュー画面で映像を出力してその範囲の切り抜き、切り出しの編集を行うユーザーインターフェース２０を有する表示装置２と、表示装置２を制御する制御装置１を備えた映像音声編集システムにおいて、表示装置２が制御装置１に制御されることで、ユーザーインターフェース２０は、編集範囲の始点または終点に再生ヘッド２２を一致させる機能を有する。【選択図】        図２
2007066399.tif 000002
【特許請求の範囲】
【請求項１】
映像音声を時間軸に沿ったタイムラインとして表示し、タイムライン上の任意の時間的な範囲を指定し、その範囲内で再生ヘッドを移動させ、プレビュー画面で映像を出力してその範囲の切り抜き、切り出しの編集を行うユーザーインターフェースを有する表示装置と、該表示装置を制御する制御装置を備えた映像音声編集システムにおいて、前記制御装置は、前記ユーザーインターフェースを介して編集範囲の始点または終点に再生ヘッドを一致させるように前記表示装置を制御することを特徴とする映像音声編集システム。
【請求項２】
請求項１記載の映像音声編集システムにおいて、前記制御装置は、前記ユーザーインターフェースを介して編集範囲の指定に際し、予め設定された初期値を表示するように前記表示装置を制御することを特徴とする映像音声編集システム。
【請求項３】
請求項２記載の映像音声編集システムにおいて、前記初期値は任意に変更されることを特徴とする映像音声編集システム。
【発明の詳細な説明】
【技術分野】
【０００１】
本発明は、映像音声編集システムの表示装置の制御技術に関する。
【背景技術】
【０００２】
映像音声を対象としたソフトウエアのユーザーインターフェースでは、一般に映像や音声といった素材をその時間軸に沿ったタイムラインとして表示し、タイムライン上の任意の位置を指示することで素材中の所望の時刻をソフトウエアに指定する。
素材の中の一部を切り出したいとき、切り抜きたいときなどは、切り出しを開始したい時刻と終了したい時刻の区間、つまり時間的な範囲を指定しなければならない。
【発明の開示】
【発明が解決しようとする課題】
【０００３】
このときの範囲の指示方法としては、タイムライン上に表示されている再生ヘッドと、その再生ヘッドに一致した映像のプレビュー表示や音声出力を目視や耳で確認しつつ、再生ヘッドをマウスのクリックやドラッギングによって移動させたり、キーボードから移動量や時刻の数値を直接入力するなどして再生ヘッドを移動させるのが一般的であった。従って不慣れなユーザーの場合、時間的な範囲の指定を正確に行うことができないという問題があった。
本発明は、タイムライン編集に際し、ユーザーが時間的な範囲の指定を簡単かつ正確に行うことができる映像音声編集システムを提供することを目的とする。
【課題を解決するための手段】
【０００４】
上記目的を達成するために、請求項１記載の発明は、映像音声を時間軸に沿ったタイムラインとして表示し、タイムライン上の任意の時間的な範囲を指定し、その範囲内で再生ヘッドを移動させ、プレビュー画面で映像を出力してその範囲の切り抜き、切り出しの編集を行うユーザーインターフェースを有する表示装置と、該表示装置を制御する制御装置を備えた映像音声編集システムにおいて、前記制御装置は、前記ユーザーインターフェースを介して編集範囲の始点または終点に再生ヘッドを一致させるように前記表示装置を制御することを特徴とする。
請求項２記載の発明は、請求項１記載の映像音声編集システムにおいて、前記制御装置は、前記ユーザーインターフェースを介して編集範囲の指定に際し、予め設定された初期値を表示するように前記表示装置を制御することを特徴とする。
請求項３記載の発明は、請求項２記載の映像音声編集システムにおいて、前記初期値は任意に変更されることを特徴とする。
【発明の効果】
【０００５】
本発明は、映像音声を時間軸に沿ったタイムラインとして表示し、タイムライン上の任意の時間的な範囲を指定し、その範囲内で再生ヘッドを移動させ、プレビュー画面で映像を出力してその範囲の切り抜き、切り出しの編集を行うユーザーインターフェースを有する表示装置と、表示装置を制御する制御装置を備えた映像音声編集システムにおいて、表示装置が制御装置に制御されることで、ユーザーインターフェースは、編集範囲の始点または終点に再生ヘッドを一致させる機能を有し、また、編集範囲の指定に際し、予め設定された初期値を表示する機能を有することで、タイムライン編集に際し、ユーザーは時間的な範囲の指定を簡単かつ正確に行うことができるようになる。
【発明を実施するための最良の形態】
【０００６】
以下、本発明の実施形態を図面に従って説明する。
図１は本発明の実施形態に係る映像音声編集システムの構成図である。本映像音声編集システムは、ＣＰＵ１、表示装置２、インターフェース３、メモリ４、外部記憶装置５、入力装置６を備える。
ＣＰＵ１は演算手段、各ユニットの制御手段として機能する。表示装置２はＣＲＴ等のグラフィックディスプレイを示す。表示装置２に描かれるユーザーインターフェースが本発明の主要な要素である。外部記憶装置５は編集対象となる映像や音声のデータを保持する。映像や音声のデータはユーザーの操作により編集された後、外部記憶装置５に保存される。入力装置６はマウス等のポインティングデバイスを表す。
図２は図１に示す表示装置に表示されるユーザーインターフェースの基本構成を示す図である。ユーザーインターフェース２０において、映像、音声といった素材を、時間軸を基準としたタイムライン２１上に表示し、再生ヘッド２２、再生ボタン２３、再生一時停止ボタン２４などの制御ボタン、範囲指定開始ボタン２５、範囲指定決定ボタン２６をそれぞれユーザーインターフェース２０上に配置する。また、再生ヘッド２２の位置と同期したプレビュー画面２７も用意する。
プレビュー画面２７には、再生ヘッド２２の位置に対応する映像が常に表示されている。例えば再生を開始すると、プレビュー画面２７には再生ヘッド２２の動き（現在位置）に合わせて映像が表示される。再生を停止すれば、プレビュー画面２７には再生ヘッド２２の現在位置の映像が、停止された状態で表示される。この例では省略しているが、必要に応じて早送り機能や逆再生機能、コマ送り機能などを実装する。
【０００７】
図３は図２に示す基本ユーザーインターフェースにさらに機能を追加したユーザーインターフェースの構成を示す図である。映像、音声の素材の不要な箇所である一部を切り抜いたり、逆に必要な箇所だけを切り出したりする編集ソフトウエアのユーザーインターフェース２０の例である。そのために切り抜きボタン２８、切り出しボタン２９を設けている。
範囲指定開始ボタン２５を押すと、予めシステムで決めたデフォルトの長さ、例えば１０秒などの長さの範囲が編集範囲として、現在の再生ヘッド２２の位置を基準にして表示される。この長さはユーザーの好みに応じて設定し直すことも可能であるし、素材の長さなどのパラメータに応じてシステムが自動的に再計算しても差し支えない。例えば画面に表示されているタイムライン２１の中に収まる範囲の長さを自動的に計算して用いることもできる。
図４は図３に示すユーザーインターフェースにおいて、タイムラインにおける編集範囲を表す図である。デフォルトの長さが編集範囲となる。
再生ヘッド２２の位置は、範囲の始点、もしくは終点のどちらでもよい。例えば、始点、終点の近傍をクリックすることで再生ヘッド２２がどちらかに吸着する。キーボードのキーに割り当てて選択してもよい。
図５は図３に示すユーザーインターフェースにおいて、再生ヘッドの位置を範囲の始点、または終点にする様子を示す図である。（１）に示すように、始点の近傍をクリックすれば再生ヘッド２２は始点に吸着する。また（２）に示すように、終点の近傍をクリックすれば再生ヘッド２２は終点に吸着する。
ここで再生ボタン２３を押すと、再生ヘッド２２の位置が映像、音声の再生に伴って移動するのと共に、プレビュー画面２７も更新されて表示される。このとき、範囲の始点も再生ヘッド２２に伴って前に移動する。再生を停止するか、再生ヘッド２２が終点に達するまで範囲の始点も移動する。
【０００８】
図６は図３に示すユーザーインターフェースにおいて、（１）乃至（３）の順に、再生ヘッドが始点から終点に向かって移動する様子を示す図である。
再生ヘッド２２が終点に達したら自動的に再生を停止するが、編集の目的によっては終点をそのまま通り過ぎて、始点と終点が入れ替わっても差し支えない。
図７は図３に示すユーザーインターフェースにおいて、（１）乃至（３）の順に、再生ヘッドが終点からさらに前方（矢印方向）に向かって移動する様子を示す図である。このように再生ヘッド２２の位置が範囲の終点に位置している場合も同様に範囲の終点が前に移動する。このようにして、終端近傍の編集ミスを無くすようにする。素材の終点に達したら、一時停止してユーザーの指示待ち状態になるが、編集の目的によっては始点に戻ってもよい。
範囲の始点、終点がユーザーの所望の位置になったら、範囲指定決定ボタン２６を押す。これでシステムは範囲の区間が決定されたことを認識する。このあと、ユーザーの目的に応じて切り抜き、切り出しなどの機能を実行する。例えば切り抜きボタン２８を押すことにより、現在決定されている範囲の部分が素材から切り捨てられる。図８は図３に示すユーザーインターフェースにおいて、切り抜きボタンを押した場合の素材が削除される範囲を示す図である。
切り出しボタン２９を押した場合は、素材中の指定された範囲（始点から終点まで）以外の部分が切り捨てられて範囲の部分が残る。
【図面の簡単な説明】
【０００９】
【図１】本発明の実施形態に係る映像音声編集システムの構成図。
【図２】図１に示す表示装置に表示されるユーザーインターフェースの基本構成を示す図。
【図３】図２に示す基本ユーザーインターフェースにさらに機能を追加したユーザーインターフェースの構成を示す図。
【図４】図３に示すユーザーインターフェースにおいて、タイムラインにおける編集範囲を表す図。
【図５】図３に示すユーザーインターフェースにおいて、再生ヘッドの位置を範囲の始点、または終点にする様子を示す図。
【図６】図３に示すユーザーインターフェースにおいて、（１）乃至（３）の順に、再生ヘッドが始点から終点に向かって移動する様子を示す図。
【図７】図３に示すユーザーインターフェースにおいて、（１）乃至（３）の順に、再生ヘッドが終点からさらに前方（矢印方向）に向かって移動する様子を示す図。
【図８】図３に示すユーザーインターフェースにおいて、切り抜きボタンを押した場合の素材が削除される範囲を示す図。
【符号の説明】
【００１０】
１  ＣＰＵ（制御装置）、２  表示装置、２０  ユーザーインターフェース、２１  タイムライン、２２  再生ヘッド、２３  再生ボタン、２４  再生一時停止ボタン、２５  範囲指定開始ボタン、２６  範囲指定決定ボタン、２７  プレビュー画面、２８  切り抜きボタン、２９  切り出しボタン
【図１】
2007066399.tif 000003
【図２】
2007066399.tif 000004
【図３】
2007066399.tif 000005
【図４】
2007066399.tif 000006
【図５】
2007066399.tif 000007
【図６】
2007066399.tif 000008
【図７】
2007066399.tif 000009
【図８】
2007066399.tif 000010